(57)【要約】【課題】ステップの表面に固着された油などの異物を除去可能な乗客コンベアのステップ清掃器を得る。【解決手段】一面に開口３ａを有する本体ケース３と、互いに平行となるように本体ケース３に取り付けられた２つの駆動軸１９と、一方の駆動軸１９に同軸に装着され、ブラシ部２２が開口３ａから突出するブラシロール２０と、他方の駆動軸１９に同軸に装着され、モップ部２５が開口３ａから突出する拭き取りロール２４と、ブラシロール２０及び拭き取りロール２４を軸まわりに回転させるモータと、本体ケース３にブラシロール２０及び拭き取りロール２４と並設され、開口３ａから延出される側の端部にサンドペーパ５２を有する固着物削り部材５０と、ブラシロール２０の周囲の異物を本体ケース３の外部に排出する異物排出手段３５と、サンドペーパ５２を開口３ａから延出させる方向に固着物削り部材５０を付勢する付勢手段７０と、を備えている。【選択図】図５
2011032076.tif 000002
【特許請求の範囲】
【請求項１】
一面に開口を有する箱状の本体ケースと、
互いに平行となるように径方向に離間して上記本体ケースに挿入されて軸まわりに回転自在に上記本体ケースに取り付けられた２つの駆動軸と、
一方の上記駆動軸に同軸に装着される第１基体、及び上記第１基体の外周面全域に植設されたブラシ部により構成され、上記ブラシ部が上記開口から突出するブラシロールと、
他方の上記駆動軸に同軸に装着される第２基体、及び上記第２基体の外周面全域に取り付けられたモップ部により構成され、上記モップ部が上記開口から突出する拭き取りロールと、
上記駆動軸を駆動して、上記ブラシロール及び上記拭き取りロールを軸まわりに回転させるモータと、
所定の長さを有し、上記開口から見て長手方向が上記ブラシロール及び上記拭き取りロールの配列方向と交差するように延在して、上記本体ケースに上記ブラシロール及び上記拭き取りロールと並設されて上記開口から出没自在に上記本体ケースに支持され、上記開口から延出される側の端部に削り手段を有する固着物削り部材と、
上記本体ケース内の上記ブラシロールの周囲の異物を吸引して上記本体ケースの外部に排出する異物排出手段と、
上記削り手段を上記開口から延出させる方向に上記固着物削り部材を付勢する付勢手段と、
を備えることを特徴とする乗客コンベアのステップ清掃器。
【請求項２】
上記本体ケースに装着された洗浄液供給手段を備えることを特徴とする請求項１記載の乗客コンベアのステップ清掃器。
【請求項３】
乗客コンベアの乗降口の床に載置される永久磁石、及び上記乗降口の床に隣接するステップに載置された上記本体ケースと上記永久磁石との間を連結する支持アームを備えることを特徴とする請求項１または請求項２記載の乗客コンベアのステップ清掃器。
【請求項４】
上記削り手段は、サンドペーパであることを特徴とする請求項１乃至請求項３のいずれか１項に記載の乗客コンベアのステップ清掃器。
【請求項５】
上記削り手段は、刃部であることを特徴とする請求項１乃至請求項３のいずれか１項に記載の乗客コンベアのステップ清掃器。
【発明の詳細な説明】
【技術分野】
【０００１】
この発明は、例えば、エスカレータなどの乗客コンベアのステップを清掃するのに用いられる乗客コンベアのステップ清掃器に関する。
【背景技術】
【０００２】
従来のエスカレータ用清掃装置は、長尺で下面が開口する箱状の本体カバーと、下部開口部から下方に突出するように本体カバーの長手方向に沿って本体カバー内に軸支され、モータの駆動により回転するブラシロールと、本体カバー内に設けられ、ブラブラシロールを臨む入口を有する集塵部材と、集塵部材の入口に吸気口が接続された吸気機と、を備えている（例えば、特許文献１参照）。
【０００３】
そして、踏板の清掃が、本体カバーの下部開口部を踏板の表面に向けて従来のエスカレータ用清掃装置を踏板に載置し、ブラシロールを回転させて踏板の表面の異物を掻きだし、当該異物を吸気機で回収することにより行われていた。
【先行技術文献】
【特許文献】
【０００４】
【特許文献１】実開平１−９０７７９号公報
【発明の概要】
【発明が解決しようとする課題】
【０００５】
しかしながら、従来のエスカレータ清掃装置による踏板の清掃では、ブラシロールで踏板の表面の汚れを掻きだしているだけなので、踏板の表面に固着した油汚れなどの異物は、踏板から除くことができないという問題があった。
【０００６】
この発明は上記の課題を解決するためになされたものであり、ステップの表面に固着された油汚れなどの異物を除去可能な乗客コンベアのステップ清掃器を得ることを目的とする。
【課題を解決するための手段】
【０００７】
この発明の乗客コンベアのステップ清掃器は、一面に開口を有する箱状の本体ケースと、互いに平行となるように径方向に離間して本体ケースに挿入されて軸まわりに回転自在に本体ケースに取り付けられた２つの駆動軸と、一方の駆動軸に同軸に装着される第１基体、及び第１基体の外周面全域に植設されたブラシ部により構成され、ブラシ部が開口から突出するブラシロールと、他方の駆動軸に同軸に装着される第２基体、及び第２基体の外周面全域に取り付けられたモップ部により構成され、モップ部が開口から突出する拭き取りロールと、駆動軸を駆動して、ブラシロール及び拭き取りロールを軸まわりに回転させるモータと、所定の長さを有し、開口から見て長手方向がブラシロール及び拭き取りロールの配列方向と交差するように延在して、本体ケースにブラシロール及び拭き取りロールと並設され、開口から出没自在に本体ケースに配設され、開口から延出される側の端部に削り手段を有する固着物削り部材と、本体ケース内のブラシロールの周囲の異物を吸引して本体ケースの外部に排出する異物排出手段と、削り手段を開口から延出させる方向に固着物削り部材を付勢する付勢手段と、を備えている。
【発明の効果】
【０００８】
この発明に係る乗客コンベアのステップ清掃器によれば、開口を下方に向けて本体ケースをステップの表面に載置し、ブラシロールを回転させることによりステップから剥離されている異物がステップから掻き出されて異物排出手段により排出することができる。
さらに、付勢手段によりステップの表面を押圧するように本体ケースに装着し、ステップ上に洗浄液を供給しながらステップを走行させることで、ステップの表面に固着されている異物は、削り取られて異物排出手段により排出されるか、洗浄液に溶解して拭き取りロールのモップ部に拭き取られる。これにより、ブラシロールを回転させるだけではステップから剥離されないようなステップの表面に固着された異物もステップから取り除くことができる。
【図面の簡単な説明】
【０００９】
【図１】この発明の実施の形態１に係るステップ清掃器の上面図である。
【図２】この発明の実施の形態１に係る乗客コンベアのステップ清掃器の清掃器本体の側面図である。
【図３】この発明の実施の形態１に係る乗客コンベアのステップ清掃器の清掃器保持具の側面図である。
【図４】図２のＩＶ−ＩＶ矢視断面図である。
【図５】図１のＶ−Ｖ矢視断面図である。
【図６】この発明の実施の形態１に係るエスカレータの模式図である。
【図７】この発明の実施の形態１に係るエスカレータの上階側の乗降口近傍に位置するステップ周辺の要部断面図である。
【図８】図７のＶＩＩＩ−ＶＩＩＩ矢視断面図である。
【図９】この発明の実施の形態１に係る乗客コンベアのステップ清掃器を用いたステップの清掃方法の乾燥時清掃工程を説明する図であり、ステップの横幅方向の一側を清掃するときのステップ清掃器の配置状態を示している。
【図１０】図９のＸ−Ｘ矢視断面図である。
【図１１】この発明の実施の形態１に係る乗客コンベアのステップ清掃器を用いたステップの清掃方法の乾燥時清掃工程を説明する図であり、ステップの横幅方向の他側を清掃するときのステップ清掃器の配置状態を示している。
【図１２】この発明の実施の形態１に係る乗客コンベアのステップ清掃器を用いたステップの清掃方法の削り・洗浄清掃工程を説明する図であり、ステップの横幅方向の他側を清掃するときのステップ清掃器の配置状態を示している。
【図１３】図１２のＸＩＩＩ−ＸＩＩＩ矢視断面図である。
【図１４】この発明の実施の形態２に係る乗客コンベアのステップ清掃器がステップに載置された状態を示す断面図である。
【発明を実施するための形態】
【００１０】
以下、この発明を実施するための最良の形態について、図面を参照して説明する。
【００１１】
実施の形態１．
図１はこの発明の実施の形態１に係るステップ清掃器の上面図、図２はこの発明の実施の形態１に係る乗客コンベアのステップ清掃器の清掃器本体の側面図、図３はこの発明の実施の形態１に係る乗客コンベアのステップ清掃器の清掃器保持具の側面図、図４は図２のＩＶ−ＩＶ矢視断面図、図５は図１のＶ−Ｖ矢視断面図である。
【００１２】
図１〜図５において、乗客コンベアのステップ清掃器１Ａは、清掃器本体２Ａと、清掃器本体２Ａを後述のエスカレータの乗降口近傍に位置するステップの所定位置に保持する清掃器保持手段８０と、を有する。
【００１３】
清掃器本体２Ａは、一面に開口３ａを有する断面矩形の箱体からなる本体ケース３と、互いに平行となるように径方向に離間して本体ケース３に挿入されて軸まわりに回転自在に本体ケース３に取り付けられた２つの駆動軸１９と、一方の駆動軸１９に同軸に装着されるブラシロール２０と、他方の駆動軸１９に同軸に装着される拭き取りロール２４と、駆動軸１９を駆動して、ブラシロール２０及び拭き取りロール２４を軸まわりに回転させるモータ１５Ａ，１５Ｂと、を備えている。また、清掃器本体２Ａは、本体ケース３に支持され、開口から延出される側の端部に削り手段としてのサンドペーパ５２を有する固着物削り部材５０と、本体ケース３内のブラシロール２０の周囲の異物を吸引して本体ケース３の外部に排出する異物排出手段３５と、サンドペーパ５２を開口から延出させる方向に固着物削り部材５０を付勢する付勢手段７０と、を備えている。
【００１４】
さらに、清掃器本体２Ａは、駆動軸１９に装着されたブラシロール２０及び拭き取りロール２４のそれぞれの軸方向の移動を規制する一対の移動規制部材３０と、本体ケース３内のブラシロール２０の周囲の異物を吸引して本体ケース３の外部に排出する異物排出手段３５と、モータ１５Ａ，１５Ｂ及び異物排出手段３５への給電制御とモータ１５Ａ，１５Ｂの回転方向の制御を行う制御ボックス４０と、本体ケース３に取り付けられる洗浄液供給手段７５と、を備えている。
【００１５】
以下、清掃器本体２Ａの各構成の詳細について説明する。
まず、本体ケース３について説明する。本体ケース３の相対する２対の側壁４のうちの一対の側壁４が相対する方向を本体ケース３の横幅方向（図１中の上下方向）とし、もう１対の側壁４が相対する方向を本体ケース３の縦幅方向（図１中の左右方向）とする。また、本体ケース３は、一面の開口３ａを下方に向けて使用される。そして、本体ケース３の開口３ａと相対する壁部を上部カバー部３ｂとする。
【００１６】
そして、本体ケース３は、その内部を縦幅方向に隣接する３つの空間に区画する２つの隔壁５を有する。以下、隔壁５に区画された３つの空間を縦幅方向の一端側から他端側に向かって第１空間６ａ〜第３空間６ｃとする。そして、挿入開口３ｃが、第１空間６ａの主要部と相対する上部カバー部３ｂの部位を切除して形成されている。
【００１７】
また、図５に示されるように、第２空間６ｂの内外を連通するファン接続用穴３ｄが、上部カバー部３ｂに形成されている。
さらに、上に凸の半円状の切り欠き４ａが、第２空間６ｂ及び第３空間６ｃの本体ケース３の横幅方向の一側に位置する側壁４の下縁側を切除して形成されている。
また、図４に示されるように、ねじ孔７が、切り欠き４ａのそれぞれの縦幅方向両側の本体ケース３の部位に形成されている。
【００１８】
また、上部カバー部３ｂの上面には、一対の取っ手１１が、本体ケース３の縦幅方向の中間部、かつ、横幅方向の両端近傍の部位に互いに離間して突設されている。
さらに、第１取付ピン９が、上部カバー部３ｂの各角部の近傍に突設されている。
【００１９】
また、軸まわりに回転自在のローラ１４ａを有するキャスタ１４が、本体ケース３の縦幅方向に相対する側壁４のそれぞれの下端面に、横幅方向に離間して一対ずつ取り付けられている。このとき、ローラ１４ａは、本体ケース３の横幅方向に一致する軸周りに回転自在に側壁４の下端面から突設され、ローラ１４ａの下端部と本体ケース３の開口３ａとの間は、所定の間隔に設定されている。
【００２０】
また、押さえ部材６０が第１空間６ａと第２空間６ｂを区画する隔壁５と相対する側壁４に装着されている。押さえ部材６０は、弾性部材により作製され、概略断面Ｖ字状の押圧部６０ａと、Ｖ字の両端から外側に延出する一対のフランジ部６０ｂと、を有する。
【００２１】
そして、押さえ部材６０は、フランジ部６０ｂを上下に離間させて配置され、上側のフランジ部６０ｂが側壁４に固定されている。このとき、押圧部６０ａの頂部が隔壁５に向かって突出されている。押圧部６０ａの頂部をフランジ部６０ｂが固定された側壁４に向かって押圧することで、押圧部６０ａは、Ｖ字を構成する２片の間の角度が開くように弾性変形し、押圧された力に反する方向の復元力を発揮する。
【００２２】
２つのモータ１５Ａ，１５Ｂは、図１に示されるように、モータ軸１６、及びモータ軸１６を軸周りに回転させる駆動力を発生する駆動本体部１７を有する。
【００２３】
駆動軸１９は、図４及び図５に示されるように、所定の直径の主軸部１９ａと、主軸部１９ａの一端近傍から他端近傍に至る外周面の所定部位に、周方向に所定の幅で径方向に突設された嵌合凸部１９ｂと、を有する。
【００２４】
ブラシロール２０は円柱状の第１基体２１ａ、及び第１基体２１ａの径方向に突出するように第１基体２１ａの外周面の全域に植設された比較的硬い無数のブラシ毛からなるブラシ部２２を有する。そして、第１基体２１ａは、その軸方向全域に形成された軸挿通穴２３を有する。軸挿通穴２３の断面形状は、主軸部１９ａの直径に対応する直径を有し、第１基体２１ａの軸心に穴中心が一致する主軸部挿通部２３ａと、主軸部挿通部２３ａの周方向に嵌合凸部１９ｂの幅に対応する幅を有し、かつ、主軸部挿通部２３ａの径方向の外側に所定の深さを有する被嵌合凹部２３ｂと、を有する。
【００２５】
拭き取りロール２４は、第１基体２１ａと同一構成の第２基体２１ｂ、及び第２基体２１ｂの外周面の略全域に装着された柔軟な繊維材料からなり、液体を吸収するモップ部２５を有する。
【００２６】
移動規制部材３０のそれぞれは、図４に示されるように、規制アーム３１、及びねじ３２により構成されている。
規制アーム３１は、長尺の板部材の長手方向の中間部を、中間部の両側に対して凹むように曲げ加工して構成されている。また、貫通穴３１ａが、規制アーム３１の一端側及び他端側の所定部位を板厚方向に穿設して形成されている。なお、貫通穴３１ａの間隔は、切り欠き４ａのそれぞれの両側に形成したねじ孔７の間隔に対応している。また、軸支持穴３１ｂが、規制アーム３１の中間部を板厚方向に穿設して形成されている。
【００２７】
また、異物排出手段３５は、図１及び図２に示されるように、吸気口３６ａ及び排気口３６ｂを有する筺体３６内に周知の多翼ファン３７を配した構成を有する。また、筺体３６は、突設された接続用パイプ３８を有し、接続用パイプ３８の先端側の開口が、排気口３６ｂを構成している。そして、異物排出手段３５は、多翼ファン３７が駆動されると、吸気口３６ａから吸い込まれた大気が、排気口３６ｂから排出されるように構成されている。
【００２８】
また、制御ボックス４０は、図１に示されるように、商用電源を入力するための電源コンセント４１、モータ１５Ａ，１５Ｂの駆動本体部１７、及び異物排出手段３５の多翼ファン３７の駆動／停止を切り替える電源スイッチ４２、及びモータ１５Ａ，１５Ｂのモータ軸１６の回転方向を選択する反転スイッチ４３を有する。
【００２９】
また、固着物削り部材５０は、サンドペーパ保持体５１、及び耐水性のサンドペーパ５２を有する。
サンドペーパ保持体５１は、第１空間６ａの横幅方向に対応する長さを有する金属板を、長手方向に垂直な断面がＵ字になるように曲げ加工を施して構成されている。そして、サンドペーパ保持体５１は、長手方向を本体ケース３の横幅方向、言い換えれば駆動軸１９の軸方向に一致させて第１空間内６ａに挿入開口３ｃ側から挿入可能な構成となっている。なお、サンドペーパ保持体５１は、Ｕ字の湾曲部を開口３ａから所定量延出させて第１空間６ａ内に挿入したときに、上部カバー部３ｂの挿入開口３ｃから突出する大きさを有している。また、サンドペーパ５２は、サンドペーパ保持体５１の外側の表面に沿わせて、サンドペーパ保持体５１とともに第１空間６ａ内に挿入され、後述するように、押さえ部材６０の弾性力により、押さえ部材６０と隔壁５との間に支持される。
【００３０】
また、付勢手段７０は、一対の掛け部７１、一対の掛け部７２、及び２つのゴム部材７３を有する。
１対の掛け部７１は、挿入開口３ｃの第２空間６ｂ側に、本体ケース３の横幅方向に互いに離間して上部カバー部３ｂに突設されている。一対の掛け部７２は、本体ケース３の縦幅方向の一端側の側面に、横幅方向に互いに離間して突設されている。
ゴム部材７３は、細長のものが用いられ、本体ケース３の横幅方向の一側に位置する掛け部７１，７２間、及び本体ケース３の横幅方向の他側に位置する掛け部７１，７２の間に連結して用いられる。
【００３１】
また、洗浄液供給手段７５は、縦幅方向に相対する本体ケースの側壁４のそれぞれの外面に突設されたタンク設置用部材７６、タンク設置用部材７６に載置され、洗浄液を貯蓄する洗浄液タンク７７、それぞれ、一端が洗浄液タンク７７内を臨むように接続されて洗浄液タンク７７の外方に延在し、図２に示されるように、その先端に吐出口７８ａを有する２つのホース７８、及びホース７８の中間部に設けられ、ホース７８内の洗浄液の流量を調整する吐出量調整手段７９を有する。
【００３２】
タンク設置用部材７６は、本体ケース３の開口３ａに平行に側壁４から延出されるタンク載置部７６ａ、及びタンク載置部７６ａの縁部から上方に延出するタンク移動規制部７６ｂを有している。
【００３３】
洗浄液は、例えば油成分を溶解する洗剤を水に溶かしたものを用いている。吐出量調整手段７９は、医療分野で、液体を点滴にて患者に注入する際に液体の注入量を調整する機構と同様の機構を有し、ホース７８の吐出口７８ａからの洗浄液の供給量を調整可能に構成されている。
【００３４】
そして、洗浄液タンク７７の底側の外形形状は、タンク移動規制部７６ｂと本体ケース３の側壁とで囲まれる形状に一致している。これにより、洗浄液タンク７７は、タンク載置部７６ａに載置したときに、本体ケース３が振動してもタンク移動規制部７６ｂにより水平方向の移動が規制されるようになっている。なお、ホース７８は、洗浄液タンク７７をタンク設置用部材７６に支持させたときに、本体ケース３の横幅方向に相対する側面から一つずつ延在するように洗浄液タンク７７の所定部位に連結されている。
【００３５】
次いで、清掃器保持手段８０の詳細な構成について説明する。
清掃器保持手段８０は、図１に示されるように、一対の清掃器保持具８１からなり、清掃器保持具８１のそれぞれは、図３に示さるように、直方体の永久磁石８２と、永久磁石の一面に突設された断面円の第２取付ピン８３と、第１取付ピン９と第２取付ピン８３とを連結する支持アーム８４と、を備える。
支持アーム８４は、長尺の平板の一端側及び他端側を相反する方向に垂直に折り曲げた形状に構成されている。そして、支持アーム８４の一端近傍及び他端近傍には、被嵌合穴８４ａが板厚方向に穿設されている。
【００３６】
詳細は後述するが、エスカレータの乗降口の床は、鉄板により構成されるのが一般的である。そして、例えば、上階側の乗降口の床上にステップの横幅方向に離間して載置した永久磁石８２、及び当該乗降口に隣接して露出されるステップ上に載置した清掃器本体２Ａに対し、本体ケース３に突設された第１取付ピン９と永久磁石８２に突設された第２取付ピン８３に、支持アーム８４の被嵌合穴８４ａを上方から挿入して、永久磁石８２と本体ケース３とを支持アーム８４により連結する。これにより、清掃器本体２Ａのステップの走行方向への移動を規制することが可能となる。
【００３７】
次いで、清掃器本体２Ａの各構成の配設状態を説明する。
モータ１５Ａ，１５Ｂの駆動本体部１７は、切り欠き４ａと相対する側壁４の外面に取り付けられている。また、モータ１５Ａ，１５Ｂのモータ軸１６のそれぞれは、その軸方向を本体ケース３の横幅方向に一致させて第２空間６ｂ、及び第３空間６ｃのそれぞれに向けられている。また、２つのモータ軸１６は、本体ケース３の縦幅方向、言い換えれば、自身の径方向に離間している。
【００３８】
そして、２つの駆動軸１９のそれぞれの主軸部１９ａの一端が、軸継手１８を介してモータ１５Ａ，１５Ｂのそれぞれのモータ軸１６に同軸に連結されている。そして、駆動軸１９は、本体ケース３内に挿入され、主軸部１９ａの他端（先端）側は、切り欠き４ａから本体ケース３の外側に突出されている。
【００３９】
一対の移動規制部材３０のうちの一方の規制アーム３１は、図４に示されるように、その軸支持穴３１ｂに、モータ１５Ａのモータ軸１６に連結される駆動軸１９の主軸部１９ａの先端が挿入されるように配置されている。そして、ねじ３２が、貫通穴３１ａに挿入されてねじ孔７に螺合され、規制アーム３１が、本体ケース３に固定される。このとき、規制アーム３１は、本体ケース３の内側に向かって凸となるように配置されている。これにより、主軸部１９ａの先端側が規制アーム３１に支持される。
【００４０】
また、他方の移動規制部材３０は、モータ１５Ｂのモータ軸１６に連結される駆動軸１９の主軸部１９ａの先端側を支持している。
以上のように本体ケース３にモータ１５Ａ，１５Ｂを介して取り付けられた２つの駆動軸１９は、互いに平行に径方向に離間し、モータ軸１６の回転に連動して軸まわりに回転する。
【００４１】
そして、図５に示されるように、ブラシロール２０の第１基体２１ａの軸挿通穴２３がモータ１５Ａのモータ軸１６に連結された駆動軸１９に嵌合されて、ブラシロール２０が本体ケース３内の駆動軸１９の部位に装着されている。また、拭き取りロール２４の第２基体２１ｂの軸挿通穴２３がモータ１５Ｂのモータ軸１６に連結された駆動軸１９に嵌合されて、拭き取りロール２４が駆動軸１９に装着されている。
【００４２】
このとき、ブラシ部２２及びモップ部２５の下端は、キャスタ１４のローラ１４ａの下端よりさらに下方に本体ケース３の開口３ａから突出されている。これにより、キャスタ１４を例えば後述するエスカレータのステップの踏み面に向けて本体ケース３をステップ上に載置したときには、ブラシ部２２及びモップ部２５の外周側がステップの踏み面を押圧する。また、ブラシロール２０及び拭き取りロール２４は、規制アーム３１と、モータ１５Ａ，１５Ｂを取り付けた側壁４との間に略隙間なく配置されている。これにより、ブラシロール２０及び拭き取りロール２４は、軸方向へ移動することが規制されて、駆動軸１９から抜けることが防止される。
【００４３】
なお、ねじ３２をはずして、規制アーム３１を本体ケース３から取り外すことで、ブラシロール２０及び拭き取りロール２４は、切り欠き４ａ側から簡単に駆動軸１９から取り外すことができる。
【００４４】
また、異物排出手段３５は、第２空間６ｂの上部に位置する上部カバー部３ｂの外面に固定されている。このとき、筺体３６の吸気口３６ａが、図５に示されるように、上部カバー部３ｂのファン接続用穴３ｄを介して第２空間６ｂに接続され、また、接続用パイプ３８は上方に向けられている。そして、異物排出手段３５の多翼ファン３７が駆動されると、一対の隔壁５と横幅方向に相対する側壁４に区画された第２空間６ｂ内の空気が吸気口３６ａから吸いこまれて接続用パイプ３８の排気口３６ｂから排出される。
【００４５】
制御ボックス４０は、第３空間６ｃの上部に位置する上部カバー部３ｂの外面に固定されている。詳細には説明しないが、電源コンセント４１に入力された商用電源を各モータ１５Ａ，１５Ｂの駆動本体部１７と異物排出手段３５の多翼ファン３７に供給可能に制御ボックス４０と駆動本体部１７及び異物排出手段３５とが接続されている。そして、保守者は、電源スイッチ４２の切り替えによりモータ軸１６の回転に連動するブラシロール２０と拭き取りロール２４、及び異物排出手段３５の多翼ファン３７の回転とその停止を制御可能であり、また、反転スイッチ４３の切り替えにより、モータ軸１６の回転方向、言い換えればブラシロール２０と拭き取りロール２４の回転方向の正逆を制御可能となっている。
【００４６】
前述したように、固着物削り部材５０は、長手方向を駆動軸１９の軸方向に一致させて第１空間６ａ内に挿入して用いられるが、このとき、固着物削り部材５０は、本体ケース３にブラシロール２０及び拭き取りロール２４と並設される。
また、固着物削り部材５０を第１空間６ａ内に挿入したときには、押さえ部材６０がサンドペーパ５２を介してサンドペーパ保持体５１に押され、Ｖ字に構成する２片の間の角度が開くように弾性変形する。固着物削り部材５０は、押圧部６０ａが復元しようとする力により、相対する押圧部６０ａと隔壁５との間に挟持される。但し、本体ケース３の上下方向に移動可能である。つまり、固着物削り部材５０は、開口３ａから出没自在に本体ケース３に支持される。
【００４７】
さらに、サンドペーパ保持体５１の挿入開口３ｃからの突出端を押圧するように、本体ケース３の横幅方向の一側に位置する掛け部７１，７２間、及び本体ケース３の横幅方向の他側に位置する掛け部７１，７２間にゴム部材７３を掛け渡すことで、後述するように、清掃器本体２Ａをステップ上に載置したときに、サンドペーパ５２を、ステップに押しつけることが可能になる。
【００４８】
以下、乗客コンベアとしてのエスカレータ１００の構成を、図面を参照しつつ説明する。
図６はこの発明の実施の形態１に係るエスカレータの模式図、図７はこの発明の実施の形態１に係るエスカレータの上階側の乗降口近傍に位置するステップ周辺の要部断面図である。図８は図７のＶＩＩＩ−ＶＩＩＩ矢視断面図である。
【００４９】
図６〜図８において、エスカレータ１００は、上下階に設けられた乗降口１０１間に架設されたトラス１０２と、上階側の乗降口１０１の床１０１ａ下部のトラス２内に設けられた上部機械室１０４Ａと、下階側の乗降口１０１の床１０１ａ下部のトラス２内に設けられた下部機械室１０４Ｂと、上部機械室１０４Ａに設けられた上部スプロケット１０７Ａと、下部機械室１０４Ｂに設けられた下部スプロケット１０７Ｂと、上部スプロケット１０７Ａ及び下部スプロケット１０７Ｂに無端状に巻き掛けられて図示しない電動機の駆動力により、循環走行するステップチェーン１１０と、ステップチェーン１１０に無端状に連結されたステップ１１１と、ステップ１１１の横幅方向の両側に立設された一対の欄干１１４と、を備えている。
【００５０】
一対の欄干１１４は、ステップ１１１の移動方向に沿ってステップ１１１の横幅方向両側に立設された欄干パネル１１５、及びステップ１１１の両側にステップ１１１との間の隙間を保ってステップ１１１の移動方向に沿って延設されて、欄干パネル１１５とステップ１１１とを仕切るスカートガード１１６などを備えている。
そして、図７及び図８に示されるように、ステップ１１１の踏み面１１１Ａは、凸部１１１ａ及び凹部１１１ｂが縦幅方向全域に亘って延在するように横幅方向に交互に配列されている。以下、ステップ１１１の凸部１１１ａの端面を、ステップ１１１の表面とする。
【００５１】
次いで、乗客コンベアのステップ清掃器１Ａを用いたエスカレータのステップの清掃方法について図面を参照しつつ説明する。
図９はこの発明の実施の形態１に係る乗客コンベアのステップ清掃器を用いたステップの清掃方法の乾燥時清掃工程を説明する図であり、ステップの横幅方向の一側を清掃するときのステップ清掃器の配置状態を示している。図１０は図９のＸ−Ｘ矢視断面図、図１１はこの発明の実施の形態１に係る乗客コンベアのステップ清掃器を用いたステップの清掃方法の乾燥時清掃工程を説明する図であり、ステップの横幅方向の他側を清掃するときのステップ清掃器の配置状態を示している。図１２はこの発明の実施の形態１に係る乗客コンベアのステップ清掃器を用いたステップの清掃方法の削り・洗浄清掃工程を説明する図であり、ステップの横幅方向の他側を清掃するときのステップ清掃器の配置状態を示している。図１３は図１２のＸＩＩＩ−ＸＩＩＩ矢視断面図である。
なお、説明の便宜上、図９、図１１及び図１２ではステップの踏み面の凸部及び凹部の図示を省略する。
【００５２】
初期状態は、ステップ１１１の走行は停止されているものとする。また、固着物削り部材５０は、第１空間６ａに未挿入であるものとする。
そして、保守者は、例えば、上階側の乗降口１０１側で作業を行う。以下、乗降口１０１は、上階側の乗降口１０１であるものとして説明する。
【００５３】
乗客コンベアのステップ清掃器１Ａを用いたステップの清掃方法は、乾燥時清掃工程と、乾燥時清掃工程に引き続き行われる削り・洗浄清掃工程を有する。
【００５４】
まず、乾燥時清掃工程について説明する。
図９及び図１０において、保守者は、まず最も乗降口１０１寄りのステップ１１１に、キャスタ１４を下方に向け、さらに、本体ケース３の横幅方向をステップ１１１の横幅方向に一致させて清掃器本体２Ａを載置する。例えば、第１空間６ａが第２空間６ｂの乗降口１０１側に配置されるように、清掃器本体２Ａを配置する。このとき、ステップ１１１の踏み面１１１Ａは、清掃器本体２Ａのブラシロール２０及び拭き取りロール２４に押圧される。また、保守者は、清掃器保持具８１を乗降口１０１の床１０１ａに２セット用意しておく。
【００５５】
次いで、保守者は、一方のスカートガード１１６において、ねじ３２と相対する部位を含む領域に、シート状のゴムなどで構成された保護部材９５を貼り付け、さらに、他方のスカートガード１１６にも、一方のスカートガード１１６に貼りつけた保護部材９５と相対する部位に、保護部材９５を貼り付ける。
【００５６】
次いで、保守者は、清掃器本体２Ａと一方のスカートガード１１６の保護部材９５との間の隙間がほぼなくなるように、清掃器本体２Ａを一方のスカートガード１１６側に寄せる。
そして、保守者は、乗降口１０１側に位置する第１取付ピン９のそれぞれに支持アーム８４のそれぞれの被嵌合穴８４ａの一つを嵌め合わせる。さらに、永久磁石８２に突設された第２取付ピン８３に支持アーム８４のもう一つの被嵌合穴８４ａを嵌め合わせ、清掃器本体２Ａと永久磁石８２とを連結する。
これにより、清掃器本体２Ａは、現在の位置からステップ１１１が走行する方向へ移動することが規制される。
【００５７】
次いで、保守者は、接続用パイプ３８に、掃除機のホース（図示せず）を接続し、掃除機を駆動させる。
さらに、保守者は、例えば、上階側から下階側へステップ１１１を走行させる。
次いで、保守者は、電源コンセント４１に商用電源を入力し、電源スイッチ４２を操作してモータ１５Ａ，１５Ｂの駆動本体部１７を駆動させてブラシロール２０、及び拭き取りロール２４を回転させるとともに、異物排出手段３５の多翼ファン３７を駆動させる。このとき、ブラシロール２０及び拭き取りロール２４の下端側の部位は、ステップ１１１の踏み面１１１Ａに摺接しながら回転する。なお、保守者は、ブラシロール２０及び拭き取りロール２４を、図１０中、反時計まわりに回転させる。これにより、ブラシ部２２及びブラシ部２２が押しつけられるステップ１１１の部位は、互いに相反する方向に移動する。また、モップ部２５及びモップ部２５が押しつけられるステップ１１１の部位も、互いに相反する方向に移動する。
【００５８】
そして、ステップ１１１の表面及び凹部１１１ｂ内の埃やゴミなどの異物がブラシ部２２により掻きだされ、異物排出手段３５の吸気口３６ａから吸い込まれて排気口３６ｂから排出される。さらに、排気口３６ｂから排出される異物は、掃除機に回収される。
【００５９】
また、拭き取りロール２４は、ステップ１１１の表面だけでなく、ある程度凹部１１１ｂ内に入り込んで凹部１１１ｂの側面に押しあてられて異物をステップ１１１から剥離させる効果を有するので、ブラシロール２０と拭き取りロール２４とを併用することでステップ１１１の清掃が効果的に行わる。
【００６０】
保守者は、ステップ１１１を所定数周回されるように循環走行させ、ブラシロール２０及び拭き取りロール２４に相対するステップ１１１の表面から異物をとり除く。
次いで保守者は、ステップ１１１の走行を停止し、さらに、電源スイッチ４２を操作して、モータ１５Ａ，１５Ｂ及び異物排出手段３５への給電を停止する。さらに、保守者は、支持アーム８４を第１取付ピン９及び第２取付ピン８３から抜き取り、清掃器本体２Ａと永久磁石８２との連結を解除する。
【００６１】
次いで、保守者は、図１１に示されるように、清掃器本体２Ａの本体ケース３の縦幅方向の一端と他端とを入れ替えるように取っ手１１を持って清掃器本体２Ａを移動させる。これにより、第３空間６ｃ側が第２空間６ｂの乗降口１０１側に位置するように本体ケース３が配置される。
さらに、保守者は、ねじ３２と相対する他方のスカートガード１１６に貼られた保護部材９５との間の隙間がほぼなくなるように、清掃器本体２Ａをステップ１１１の横幅方向の他側に寄せる。
【００６２】
以下、清掃器本体２Ａを一方のスカートガード１１６側に寄せてステップ１１１を清掃したのと同様の手順でステップ１１１を清掃するが、このとき、ブラシロール２０及び拭き取りロール２４の回転方向を、清掃器本体２Ａを一方のスカートガード１１６側に寄せてステップ１１１を清掃したときに対して反転させている。以上により、乾燥時清掃工程を終了する。
【００６３】
続いて、保守者は、削り・洗浄清掃工程を実施する。
図１２及び図１３において、削り・洗浄清掃工程では、サンドペーパ５２をサンドペーパ保持体５１の外側の表面に沿わせた固着物削り部材５０を第１空間６ａ内に挿入して押さえ部材６０と隔壁５との間に支持する。さらに、サンドペーパ保持体５１の挿入開口３ｃからの突出端を押圧するように、ゴム部材７３を掛け部７１，７２間に掛け渡してサンドペーパ保持体５１を開口３ａから延出させる方向に付勢し、サンドペーパ５２をステップ１１１の表面に押しつける。
【００６４】
次いで、洗浄液を補充しておいた洗浄液タンク７７を、本体ケース３の第１空間６ａ側のタンク設置用部材７６のタンク載置部７６ａに載置する。次いで、２つのホース７８の吐出口７８ａのそれぞれが、ブラシロール２０及び拭き取りロール２４の軸方向に関して、ブラシロール２０及び拭き取りロール２４の内側で、ステップ１１１の踏み面１１１Ａに向けられるようにホース７８を本体ケース３に固定する。なお、ホース７８は、洗浄液タンク７７側から先端に向かって漸次下方に傾斜させている。
さらに、保守者は、吐出量調整手段７９を操作して、吐出口７８ａからの洗浄液の単位時間あたりの吐出量が所定量となるように調整する。
【００６５】
そして、保守者は、下階側に乗客を搬送する方向にステップ１１１を走行させるとともにモータ１５Ａ，１５Ｂの駆動本体部１７、及び異物排出手段３５の多翼ファン３７を駆動させる。
ステップ１１１が走行されてから複数回周回するうちに、洗浄液は、ブラシロール２０のブラシ部２２や、拭き取りロール２４のモップ部２５を伝って、ブラシロール２０及び拭き取りロール２４と相対するステップ１１１の部位全体に濡れ広がる。
【００６６】
そして、洗浄液がステップ１１１の表面に濡れ広がった状態で、サンドペーパ５２がステップ１１１の表面を押圧した状態でステップ１１１が走行するので、ステップ１１１の表面に固着していた油汚れなどの異物は、ステップ１１１の表面から削り取られたり、溶解したりする。削り取られた異物はブラシロール２０のブラシ部２２に掻きだされて、異物排出手段３５の多翼ファン３７により、吸気口３６ａから吸いこまれて排気口３６ｂから排出される。排気口３６ｂに排出された異物は、掃除機に回収される。また、洗浄液に溶解された油分は、拭き取りロール２４のモップ部２５に拭き取られる。
【００６７】
なお、ブラシ部２２やモップ部２５の汚れが激しくなった場合には、一旦、電源スイッチ４２を操作して、モータ１５Ａ，１５Ｂの駆動本体部１７及び異物排出手段３５の多翼ファン３７の駆動を停止するとともに、掃除機の電源を切り、移動規制部材３０のねじ３２をはずして、規制アーム３１を本体ケース３から取り外し、ブラシロール２０及び拭き取りロール２４を交換してステップ１１１の清掃を再開すればよい。
【００６８】
保守者は、ブラシロール２０及び拭き取りロール２４と相対する位置を通過するステップ１１１に固着していた異物が取り除かれたと判断すると、ステップ１１１への洗浄液の供給を停止する。この後、しばらく、所定数周回されるようにステップ１１１を走行させることで、洗浄液がモップ部２５にふき取られる。次いで、保守者は、ステップ１１１の走行を停止し、さらに電源スイッチ４２を操作してモータ１５Ａ，１５Ｂの駆動本体部１７及び異物排出手段３５の駆動を停止するとともに、掃除機の駆動を停止する。
【００６９】
次いで、乾燥時清掃工程と同様、保守者は、本体ケース３の縦幅方向の一端と他端とを入れ替えるように取っ手１１を持って清掃器本体２Ａを反転させ、他方のスカートガード１１６側から一方のスカートガード１１６側に寄せる。ホース７８の本体ケース３への固定を解除し、洗浄液タンク７７を、本体ケース３の第３空間６ｃ側のタンク設置用部材７６のタンク載置部７６ａ上に移動する。さらに、２つのホース７８の吐出口７８ａのそれぞれが、ブラシロール２０及び拭き取りロール２４の軸方向に関して、ブラシロール２０及び拭き取りロール２４の内側で、ステップ１１１の踏み面１１１Ａに向けられるようにホース７８を本体ケース３に固定する。
【００７０】
以下、乗客コンベアのステップ清掃器１Ａをステップ１１１の横幅方向の他側に寄せてステップ１１１の踏み面１１１Ａを清掃したのと同様の手順で、洗浄液をステップ１１１の踏み面１１１Ａに供給させつつ、ブラシロール２０及び拭き取りロール２４をこれまでとは逆方向に回転させ、さらに、第２空間６ｂ内の空気を清掃器本体２Ａ外部に排出しながらステップ１１１の踏み面１１１Ａを清掃する。これにより、ステップ１１１の踏み面１１１Ａの全域が清掃される。以上により、削り・洗浄清掃工程を終了する。
【００７１】
この実施の形態１のエスカレータのステップ清掃器１Ａは、一面が開口３ａする箱状の本体ケース３と、互いに平行となるように径方向に離間して本体ケース３に挿入されて軸まわりに回転自在に本体ケース３に取り付けられた２つの駆動軸１９と、一方の駆動軸１９に同軸に装着される第１基体２１ａ、及び第１基体２１ａの外周面全域に植設されたブラシ部２２により構成され、ブラシ部２２が開口３ａから突出するブラシロール２０と、他方の駆動軸１９に同軸に装着される第２基体２１ｂ、及び第２基体２１ｂの外周面全域に取り付けられたモップ部により構成され、モップ部２５が開口３ａから突出する拭き取りロール２４と、駆動軸１９を駆動して、ブラシロール２０及び上記拭き取りロール２４を軸まわりに回転させるモータ１５Ａ，１５Ｂと、を備えている。
【００７２】
また、エスカレータのステップ清掃器１Ａは、所定の長さを有し、開口から見て長手方向がブラシロール２０及び拭き取りロール２４の配列方向と交差するように延在して、本体ケース３にブラシロール２０及び拭き取りロール２４と並設され、開口３ａから出没自在に本体ケース３に配設され、開口３ａから延出される側の端部にサンドペーパ５２を有する固着物削り部材５０と、本体ケース３内のブラシロール２０の周囲の異物を吸引して本体ケース３の外部に排出する異物排出手段３５と、サンドペーパ５２を開口３ａから延出させる方向に固着物削り部材５０を付勢する付勢手段７０と、を備えている。さらに、エスカレータのステップ清掃器１Ａは、本体ケース３に装着された洗浄液供給手段７５と、乗客コンベアの乗降口１０１の床１０１ａに載置される永久磁石８２、及び乗降口１０１の床１０１ａに隣接するステップ１１１に載置された本体ケース３と永久磁石８２との間を連結する支持アーム８４を有する清掃器保持手段８０と、を備えている。
【００７３】
従って、乾燥状態のステップ１１１の走行時、固着物削り部材５０を外した状態で、本体ケース３の開口３ａを下方に向けてステップ１１１の踏み面１１１Ａに清掃器本体２Ａを載置し、永久磁石８２及び支持アーム８４により乗降口１０１の床１０１ａに清掃器本体２Ａを支持させ、ブラシロール２０及び拭き取りロール２４を回転させることで、ブラシロール２０により踏み面１１１Ａから剥離されている異物が踏み面１１１Ａ側から掻き出されて異物排出手段３５により排出される。
【００７４】
その後、固着物削り部材５０が、付勢手段７０によりステップ１１１の表面を押圧するように本体ケース３に装着し、洗浄液供給手段７５によりステップ１１１の踏み面１１１Ａに洗浄液を供給しながらステップ１１１を走行させることで、ステップ１１１の表面に固着されている異物は、削り取られて異物排出手段３５により排出されるか、洗浄液に溶解して拭き取りロール２４のモップ部２５に拭き取られる。これにより、ブラシロール２０をステップ１１１の踏み面１１１Ａに摺接させて回転させるだけでは、ステップ１１１から剥離されないようなステップ１１１に固着された異物でもステップ１１１の表面から取り除くことができる。
【００７５】
なお、上記実施の形態１では、拭き取りロール２４は、乾燥時清掃工程から用いるものとして説明したが、乾燥時清掃工程では取り外しておいて、削り・洗浄工程から用いるものでもよい。また、固着物削り部材５０は、乾燥時清掃工程時から取り付けられていてもよい。
【００７６】
また、ステップ１１１の清掃時、清掃器保持手段８０を用いて清掃器本体２Ａのステップ１１１の走行方向への移動を規制するものとして説明したが、清掃器本体２Ａは清掃器保持手段８０を用いてステップ１１１の走行方向への移動を規制するものに限定されず、例えば、ステップ１１１の清掃時、保守者が取っ手１１を持って、清掃器本体２Ａのステップ１１１の移動を規制するものでもよい。但し、清掃器保持手段８０を設けることで、保守者が直接清掃器本体２Ａを支持する必要がなくなるので、ステップ１１１清掃時の保守者の作業負荷が軽減される。
【００７７】
また、排気口３６ｂから排出される異物を掃除機に回収するものとして説明したが、異物排出手段３５の多翼ファン３７の排気能力が十分であれば、接続用パイプ３８に接続したホースを例えば床１０１ａに設けた集塵ボックス（図示せず）まで引き回して、集塵ボックス内に異物を回収するようにしてもよい。
【００７８】
また、洗浄液供給手段７５を本体ケース３に設け、洗浄液供給手段７５により洗浄液をステップ１１１に供給するものとして説明したが、洗浄液は洗浄液供給手段７５により供給するものに限定されず、例えば、保守者が洗浄液をジョウロに入れ、ジョウロからステップ１１１に適宜供給するなどしてもよい。但し、削り・洗浄清掃工程の最初に洗浄液供給手段７５を設けてしまえば、洗浄液が自動的に適量ずつステップ１１１に吐出されるので、ステップ１１１清掃時の保守者の作業負荷を軽減できる。
【００７９】
また、固着物削り部材５０は、駆動軸１９の軸方向に一致させて本体ケース３に配設するものとして説明したが、固着物削り部材５０は、開口３ａから見て長手方向がブラシロール２０及び拭き取りロール２４の配列方向（２つの駆動軸１９の配列方向）と交差するように配列されていればよい。
【００８０】
実施の形態２．
図１４はこの発明の実施の形態２に係る乗客コンベアのステップ清掃器がステップに載置された状態を示す断面図である。
【００８１】
図１４において、ステップ清掃器１Ｂの清掃器本体２Ｂは、固着物削り部材５０に代え、固着物削り部材９０を有する他は、清掃器本体２Ａと同様に構成されている。
固着物削り部材９０は、その長手方向に垂直な断面がコ字状の支持部９１と、支持部９１の底部の外面から支持部９１の長手方向の一端から他端に至るまで突設された尖頭部９２を有する。このとき、尖頭部９２は、支持部９１の底部の外面と相対する側から見て、支持部９１の長手方向に対して所定角度ずれた方向に延在している。
また、支持部９１の長手方向に垂直な固着物削り部材９０の断面において、尖頭部９２の突出方向は、支持部９１の底面に垂直な方向に対して傾斜され、尖頭部９２は先端に向かって漸次先細りに形成されている。そして、尖頭部９２の先端が削り手段としての刃部９２ａを構成する。
【００８２】
そして、固着物削り部材９０は、支持部９１の長手方向を本体ケース３の横幅方向に一致させて第１空間６ａ内に挿入可能な形状を有している。なお、固着物削り部材９０は、尖頭部９２を下方の開口から所定量延出されるように第１空間６ａ内に挿入したときに、支持部９１が上部カバー部３ｂの挿入開口３ｃから突出する大きさを有する。
【００８３】
次いで、乗客コンベアのステップ清掃器１Ｂによるエスカレータ１００のステップ１１１の清掃方法について説明する。
初期状態は、ステップ１１１の走行は停止されているものとする。また、固着物削り部材９０は、第１空間６ａに未挿入であるものとする。ステップ清掃器１Ｂによるステップの清掃方法は、乾燥時清掃工程と削り・洗浄清掃工程とを有する。
乾燥時清掃工程は、ステップ清掃器１Ａによるステップ１１１の清掃方法の乾燥時清掃工程と同様であるのでその説明を省略する。
【００８４】
図１４において、乾燥時清掃工程に続いて実施される削り・洗浄清掃工程では、保守者は、第１空間６ａ内に固着物削り部材９０を挿入して相対する押さえ部材６０の押圧部６０ａと隔壁５との間に支持させる。このとき、固着物削り部材９０の長手方向に垂直な断面において、尖頭部９２がステップ１１１の走行方向の後ろ側に向かって傾斜するように固着物削り部材９０の向きを設定している。
【００８５】
次いで、保守者は、固着物削り部材９０の挿入開口３ｃからの突出端を押圧するように、ゴム部材７３を掛け部７１，７２間に掛け渡し、固着物削り部材９０を開口３ａから延出させる方向に付勢し、刃部９２ａをステップ１１１の表面に押しつける。
以下、保守者は、ステップ清掃器１Ａによるステップの清掃方法の場合と同様に洗浄液タンク７７及びホース７８を設置し、吐出量調整手段７９を操作して、吐出口７８ａからの洗浄液を吐出させるとともに、図示しないモータの駆動本体部、及び異物排出手段３５の多翼ファン３７を駆動させる。さらに、ステップ１１１を走行させる。
【００８６】
このとき、ステップ１１１の表面に固着していた異物は、ステップ１１１の表面から刃部９２ａにより削り取られたり、洗浄液に溶解したりする。削り取られた異物はブラシロール２０のブラシ部２２に掻きだされて、異物排出手段３５に吸引され、排気口３６ｂから排出され、さらに、排気口３６ｂから排出される異物は、掃除機に回収される。なお、尖頭部９２は、支持部９１の底部の外面と相対する側から見て、支持部９１の長手方向に対して所定角度ずれているので、隣接するステップ１１１の隙間が尖頭部９２の下方を通過するときには、刃部９２ａは、当該隙間の両側のステップ１１１にまたがって配置される。
【００８７】
次いで、保守者は、ステップ清掃器１Ａによるステップの清掃方法と同様、駆動本体部及び異物排出手段３５の駆動を停止して清掃器本体２Ｂの本体ケース３の縦幅方向の一端と他端とを入れ替え、ステップ１１１の横幅方向の位置を移動し、さらに、洗浄液タンク７７、及びホース７８の配置位置を移動する。さらに、固着物削り部材９０の長手方向に垂直な断面において、尖頭部９２がステップ１１１の走行方向の後ろ側に向かって傾斜するように固着物削り部材９０の向きを入れ替える。
【００８８】
次いで、再度駆動本体部及び異物排出手段３５の多翼ファン３７を駆動させてブラシロール２０及び拭き取りロール２４を回転させ、第２空間６ｂ内の空気を清掃器本体２Ｂ外部に排出させながらステップ１１１の踏み面１１１Ａを清掃することで、ステップ１１１の踏み面１１１Ａの全域が清掃される。以上により、削り・洗浄清掃工程を終了する。
【００８９】
この実施の形態２のステップ清掃器１Ｂは、本体ケース３に着脱可能に、かつ、本体ケース３の開口３ａから出没可能に本体ケース３に設けられ、開口３ａから延出される側の端部に刃部９２ａを有する固着物削り部材９０を有している。付勢手段７０により、刃部９２ａがステップ１１１の表面を押圧するように固着物削り部材９０を本体ケース３に装着した状態で、洗浄液供給手段７５により踏み面１１１Ａに洗浄液を供給しながらステップ１１１を走行させれば、ステップ１１１の表面に固着されている異物は、刃部９２ａにより削り取られるか、洗浄液に溶解する。従って、ステップ清掃器１Ｂによれば、上記実施の形態１と同様、ステップ１１１の表面に固着された異物を除去することができる。
【００９０】
なお、上記各実施の形態では、エスカレータ１００のステップに適用するものについて説明しているが、本発明は、動く歩道などの乗客コンベアのステップに適用してもよい。
【符号の説明】
【００９１】
１Ａ，１Ｂ  ステップ清掃器、３  本体ケース、１５Ａ，１５Ｂ  モータ、１９  駆動軸、２１ａ  第１基体、２１ｂ  第２基体、２２  ブラシ部、２４  拭き取りロール、２５  モップ部、３５  異物排出手段、５２  サンドペーパ（削り手段）、７０  付勢手段、８２  永久磁石、８４  支持アーム、９２ａ  刃部（削り手段）、１０１  乗降口、１０１ａ  床。
【図１】
2011032076.tif 000003
【図２】
2011032076.tif 000004
【図３】
2011032076.tif 000005
【図４】
2011032076.tif 000006
【図５】
2011032076.tif 000007
【図６】
2011032076.tif 000008
【図７】
2011032076.tif 000009
【図８】
2011032076.tif 000010
【図９】
2011032076.tif 000011
【図１０】
2011032076.tif 000012
【図１１】
2011032076.tif 000013
【図１２】
2011032076.tif 000014
【図１３】
2011032076.tif 000015
【図１４】
2011032076.tif 000016